(57)【要約】      （修正有）【課題】コインの出力方向を切り替え可能なコインプッシャーを提供する。【解決手段】コインプッシャーは、コインの収集に用いられるコイントレイ１０と、コイントレイの下方に位置し、複数の貫通孔２２を含む旋盤２０と、旋盤が回転すると貫通孔及び駆動トラックが連通し、貫通孔内にあるコインが落とされる駆動トラックと、駆動トラック内にあるコインを押動するためのコイン押出装置４０と、駆動モーター５０と、入口、第一出口、及び第二出口を有している通路を含み、入口はガイドレール９０の出力端に連結されているコイン分離装置と、を備えている。駆動トラックの出口から出力されるコインはガイドレールに進入し、ガイドレールに沿って外に向けて移動する。第一出口側には第一出口を開け閉めするための上部バッフルボードが配置され、第二出口側には第二出口を開け閉めするための下部バッフルボードが配置されている。【選択図】図３
0003234442.tif 000002
【実用新案登録請求の範囲】
【請求項１】
コインの収集に用いられるコイントレイと、
前記コイントレイの下方に位置し、複数の貫通孔を含み、前記コイントレイ内に複数のコインを有する場合、前記コインが前記貫通孔に落とされる旋盤と、
横方向に配置されたコインを通過させる中空の伝送経路を含む駆動トラックであって、前記駆動トラックの一端は前記旋盤の底部に連結され、他端には出口が形成され、前記旋盤は駆動モーターにより駆動されて回転し、前記旋盤中の貫通孔が前記駆動トラックの伝送経路と順に重合し、前記旋盤中の異なる貫通孔内にあるコインが前記伝送経路に順に落とされる駆動トラックと、
前記駆動トラックの一側に位置していると共に前記駆動モーターにより駆動され、前記コインが前記駆動トラックの伝送経路に沿って前記駆動トラックの前記出口に向けて所定の位置に移動するように前記駆動トラック内の前記コインを押すために用いられているコイン押出装置と、
コインを通過させるための中空のガイド経路を含むガイドレールであって、前記ガイドレールの入力端は前記駆動トラックの前記出口に連結され、前記駆動トラックの前記出口から出力されるコインを前記ガイドレールの入力端に進入させ、前記ガイド経路に沿って前記ガイドレールの他の出力端の外に向けて移動させるガイドレールと、
入口と、第一出口と、第二出口とを有している通路を含み、前記入口は前記ガイドレールの出力端に連結され、前記ガイドレールから出力されるコインを受け取るコイン分離装置であって、前記コイン分離装置は前記第一出口側に位置していると共に前記第一出口を開け閉めするための可動の上部バッフルボード、及び前記第二出口側に位置していると共に前記第二出口を開け閉めするための可動の下部バッフルボードをさらに具備し、前記下部バッフルボードは駆動装置により駆動され、且つ前記上部バッフルボード及び前記下部バッフルボードの連動する結合を形成し、前記下部バッフルボードが前記第二出口を塞いだ場合、同時に前記上部バッフルボードが前記第一出口を開くように連動し、前記通路にあるコインが前記第一出口のみから外に向けて出力され、前記下部バッフルボードが前記第二出口を開いた場合、同時に前記上部バッフルボードが前記第一出口を塞ぐように連動し、前記通路にあるコインが前記第二出口のみから外に向けて出力されるコイン分離装置と、を備えていることを特徴とするコインの出力方向を切り替え可能なコインプッシャー。
【請求項２】
ギアセットをさらに備え、前記旋盤の中心には心棒を有し、前記旋盤の前記心棒の回転により前記旋盤が回転するように連動され、前記駆動モーターのシャフトの回転により前記旋盤の前記心棒及び前記コイン押出装置が駆動され、前記ギアセットは前記駆動モーターと前記旋盤の前記心棒との間に連結され、且つ前記ギアセットは前記駆動モーターと前記コイン押出装置との間にも連結され、前記駆動モーターのシャフトの回転により前記ギアセットを介して前記旋盤の前記心棒及び前記コイン押出装置が駆動され、前記旋盤が回転することを特徴とする請求項１に記載のコインの出力方向を切り替え可能なコインプッシャー。
【請求項３】
前記コイン押出装置の中心には心棒を有し、前記コイン押出装置の前記心棒の回転により前記コイン押出装置が回転するように連動され、前記駆動モーターのシャフトの回転により前記コイン押出装置の前記心棒が駆動され、前記コイン押出装置が回転し、前記コイン押出装置の外側の周囲には複数の押出し爪が延出し、前記コイン押出装置が回転すると各前記押出し爪が前記伝送経路の一側で回転し、前記伝送経路に位置しているコインが押動されることを特徴とする請求項１に記載のコインの出力方向を切り替え可能なコインプッシャー。
【請求項４】
前記上部バッフルボードは上部シャフトに連結され、前記上部シャフトに沿って回転することで前記第一出口を開け閉めし、前記下部バッフルボードは下部シャフトに連結され、前記上部シャフトに沿って回転することで前記第二出口を開け閉めし、前記下部バッフルボードの上側には前記上部バッフルボードの下側にある突起部に嵌合し、前記下部バッフルボードと前記上部バッフルボードとを連動させるための凹部を有していることを特徴とする請求項１に記載のコインの出力方向を切り替え可能なコインプッシャー。
【請求項５】
前記通路は前記第一出口及び前記第二出口の箇所にスルーホールがそれぞれ形成され、前記上部バッフルボード及び前記下部バッフルボードが対応するスルーホールを経て進入して対応する第一出口または第二出口を塞ぐことを特徴とする請求項４に記載のコインの出力方向を切り替え可能なコインプッシャー。
【請求項６】
前記駆動装置は金属棒を含む電磁石であり、前記下部バッフルボードの下端はコネクティングシャフトにより前記金属棒に枢着され、前記電磁石が通電すると磁力が発生し、前記金属棒が上下に移動するように駆動され、前記コネクティングシャフトにより前記下部バッフルボードが回転するように連動され、前記金属棒が上に移動すると前記下部バッフルボードが内に向けて回転して前記第二出口を塞ぎ、且つ前記上部バッフルボードが外に向けて回転するように連動されて前記第一出口を開き、前記金属棒が下に移動すると前記下部バッフルボードが外に向けて回転して前記第二出口を開き、且つ前記上部バッフルボードが内に向けて回転するように連動されて前記第一出口を塞ぐことを特徴とする請求項４に記載のコインの出力方向を切り替え可能なコインプッシャー。
【請求項７】
前記コイン分離装置は前記下部バッフルボードの一側に位置しているセンサーをさらに備え、前記センサーは前記下部バッフルボードの回転位置を検知し、前記下部バッフルボードが内または外に向けて回転状態になっていることを知るために用いられていることを特徴とする請求項４に記載のコインの出力方向を切り替え可能なコインプッシャー。
【請求項８】
各部材を収容するための筐体をさらに備え、前記筐体の下方には前記駆動モーター、前記制御機構、及び前記ギアセットが装設され、前記コイントレイは前記ギアセットの上方に位置し、前記駆動トラックは前記筐体の上方に位置して斜め方向に配置され、前記コイントレイは斜め方向に配置されている前記駆動トラックの下端に位置していることを特徴とする請求項１に記載のコインの出力方向を切り替え可能なコインプッシャー。
【請求項９】
複数のコインを収容するためのコイン収容ボックス、及び前記筐体の左上方に位置しているカセットをさらに備え、前記コイン収容ボックスの下方及び前記コイントレイの上方は重畳し、コイン収容ボックス内にあるコインが前記コイントレイ内に順に落とされ、前記カセットは前記コイン収容ボックスを前記筐体に狭着するために用いられていることを特徴とする請求項４に記載のコインの出力方向を切り替え可能なコインプッシャー。
【請求項１０】
前記ガイドレールは上に向けて延伸している円弧状レールを備え、前記円弧状レールの入口は前記駆動トラックの前記出口に連結され、コインを前記円弧状レールに沿って上に向けて移動させることを特徴とする請求項１に記載のコインの出力方向を切り替え可能なコインプッシャー。
【請求項１１】
前記ガイドレールは前記円弧状レールの出口に連結されている回転レールをさらに備え、前記回転レールは一端が前記円弧状レールの出口に連結され、他端が螺旋面の一端に連結されている入力面を含み、前記螺旋面の他端は出力面に連結され、前記入力面及び前記出力面は互いに平行せず、前記入力面に進入するコインが前記螺旋面に沿って螺旋回転して前記出力面の角度に改変され、コインの回転角度が改変されることを特徴とする請求項１０に記載のコインの出力方向を切り替え可能なコインプッシャー。
【請求項１２】
前記ガイドレールは前記回転レールの前記出力面に連結されている方向転換レールをさらに備え、前記方向転換レールの上方の側辺には側面開口部を有し、コインが前記側面開口部を経て外に向けて出力されることを特徴とする請求項１１に記載のコインの出力方向を切り替え可能なコインプッシャー。
【請求項１３】
前記ガイドレールは側方の下方に向けて方向転換する方向転換レールを備え、前記駆動トラックの前記出口は前記駆動トラックの側辺に位置していると共に前記方向転換レールの入口に連結され、コインを前記方向転換レールに沿って側辺の下方に移動させることを特徴とする請求項１に記載のコインの出力方向を切り替え可能なコインプッシャー。
【考案の詳細な説明】
【技術分野】
【０００１】
本考案は、コインプッシャーに関し、更に詳しくは、コインの出力方向を切り替え可能なコインプッシャーに関する。
【背景技術】
【０００２】
従来技術による業務用ゲーム機では、ゲームにおいてコインが非常に重要な道具となっている。多くの業務用ゲーム機でコインを報酬としており、コイン自体がゲームの媒体ともなっている。このため、全ゲーム過程でコインが筐体中で様々な動きをする。
【０００３】
また、多くの業務用ゲーム機のコインは最初にコインボックス中に放置し、その後ゲームの盤面に順に投入する。このため、コインボックス中のコインを盤面に案内するコイン出力孔機構が必要であった。
【考案の概要】
【考案が解決しようとする課題】
【０００４】
しかしながら、従来の業務用ゲーム機は往々にしてトラックに複数の出口を配置してコインの出力方向を切り替えている。このため、複数のモーターを使用して各出口のゲートの開閉をそれぞれ制御する必要があり、制御システム全体が複雑化した。
【０００５】
そこで、本考案者は上記の欠点が改善可能と考え、斬新なコインプッシャーを提供し、コインを伝送経路に順に導入し、且つ必要に応じてコイン面の方向を改変することで、上述の先行技術の欠点を解決する。
【０００６】
本考案はこうした状況に鑑みてなされたものであり、その目的は、コインの出力方向を切り替え可能なコインプッシャーを提供することにある。
【課題を解決するための手段】
【０００７】
上記課題を解決するために、本考案のある態様のコインの出力方向を切り替え可能なコインプッシャーは、旋盤の回転によりコインを駆動トラックに落とし、且つコイン押出装置によりコインを押動して駆動トラックに沿って移動させる。その後、ガイドレールによりコイン分離装置に移動させ、前記コイン分離装置によりコインを異なる出口から外に向けて出力するように切り替える。コイン分離装置の各出口のバッフルボードは相互に連動し、単一のモーターで１つのバッフルボードを制御するのみで全てのバッフルボードを同期で制御可能であり、出口の開閉を制御し、制御構造全体を簡略化し、コインを案内して移動させる目的及び出力経路を切り替える目的を達成させる。
【考案の効果】
【０００８】
本考案によれば、先行技術の欠点を解決し、業務用ゲーム機の設計の多様性を高める。
【０００９】
本明細書及び図面の記載により、少なくとも、以下の事項が明らかとなる。
【図面の簡単な説明】
【００１０】
【図１】本考案の部材組立を示した概略構成図である。
【図２】本考案の部材組立を示した背面概略図である。
【図３】本考案の一部の部材組立を示した概略構成図である。
【図４】本考案の一部の部材組立を示した側面概略図である。
【図５】本考案の一部の部材組立を示した上側概略図である。
【図６】本考案のコイン分離装置が第一出口開いた状態を示す概略図である。
【図７】図６に示す背面概略図である。
【図８】本考案のコイン分離装置が第二出口開いた状態を示す概略図である。
【図９】図８に示す背面概略図である。
【図１０】本考案のガイドレールの一実施形態を示す概略図である。
【図１１】図１０に示す回転トラックの部分横断面を示す概略図である。
【図１２】本考案のガイドレールの他の実施形態を示す概略図である。
【図１３】図１２に示す上面の視角を示す概略図である。
【考案を実施するための形態】
【００１１】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１２】
以下、本考案のコインの出力方向を切り替え可能なコインプッシャーについて、図１乃至図１３を参照しながら説明する。その部材は以下のとおりである。
【００１３】
コイントレイ１０はコイン３の収集に用いられている。図３では円形のリング状盤体として図示する。旋盤２０は前記コイントレイ１０の下方に位置し、前記旋盤２０の中心には心棒２１を有し、前記心棒２１の回転により前記旋盤２０を回転するように連動している。前記旋盤２０は複数の貫通孔２２を備えている。前記コイントレイ１０内には複数のコイン３を有し、前記コイン３は前記貫通孔２２に落とされる。
【００１４】
駆動トラック３０は中空の伝送経路３１を備えている（図５参照）。前記伝送経路３１の高さにより横方向に配置されたコイン３を通過させる。前記駆動トラック３０の一端は前記旋盤２０の底部に連結され、他端には出口３０１が形成されている。
【００１５】
コイン押出装置４０は前記駆動トラック３０の一側に位置し、前記駆動トラック３０内にあるコイン３を押動して前記駆動トラック３０の伝送経路３１に沿って前記駆動トラック３０の前記出口３０１の方向に所定の位置まで移動させるために用いられている。前記コイン押出装置４０の中心には心棒４１を有し、前記コイン押出装置４０の心棒４１の回転により前記コイン押出装置４０が回転するように連動される。前記コイン押出装置４０の外側の周囲には複数の押出し爪４２が延出し、前記コイン押出装置４０が回転すると各前記押出し爪４２が前記伝送経路３１の一側で回転し、前記伝送経路３１に位置しているコイン３を押動する。
【００１６】
ガイドレール９０はコイン３を通過させるための中空のガイド経路９５を備えている、前記ガイドレール９０の入力端９１は前記駆動トラック３０の前記出口３０１に連結されている（図１乃至図３参照）。前記駆動トラック３０の前記出口３０１から出力されたコイン３は前記ガイドレール９０の入力端９１に進入し、前記ガイド経路９５に沿って前記ガイドレール９０の他の出力端９２の外に向けて移動する。
【００１７】
駆動モーター５０は前記旋盤２０及び前記コイン押出装置４０に連結されている。
【００１８】
ギアセット６０は前記駆動モーター５０と前記旋盤２０の前記心棒２１との間に連結され、且つ前記ギアセット６０は前記駆動モーター５０と前記コイン押出装置４０の心棒４１との間にも連結されている（図３と図４参照）。前記シャフト５１の回転により前記ギアセット６０を介して前記旋盤２０の心棒２１及びコイン押出装置４０の前記心棒４１が駆動され、前記旋盤２０及び前記コイン押出装置４０が回転し、前記旋盤２０の貫通孔２２が前記駆動トラック３０の伝送経路３１に順に重合し、前記旋盤２０の異なる貫通孔２２内にあるコイン３が前記伝送経路３１に順に落とされる。これにより、これらコイン３が順に配列されると共に互いに当接して前記伝送経路３１に沿って移動する。
【００１９】
コイン分離装置７０は入口７３、第一出口７１、及び第二出口７２を有している通路７５を備え、前記入口７３は前記ガイドレール９０の出力端９２に連結され、前記ガイドレール９０から出力されるコイン３を受け取る。前記コイン分離装置７０は前記第一出口７１側に位置していると共に前記第一出口７１を開け閉めするための可動の上部バッフルボード８１、及び前記第二出口７２側に位置していると共に前記第二出口７２を開け閉めするための可動の下部バッフルボード８２をさらに備えている。前記下部バッフルボード８２は駆動装置５５により駆動され、且つ前記上部バッフルボード８１及び前記下部バッフルボード８２の連動する結合を形成している。前記下部バッフルボード８２が前記第二出口７２を塞ぐと、同時に前記上部バッフルボード８１が前記第一出口７１を開くように連動し、前記通路７５にあるコイン３が前記第一出口７１のみから外に向けて出力される（図６参照）。前記下部バッフルボード８２が前記第二出口７２を開くと、同時に前記上部バッフルボード８１が前記第一出口７１を塞ぐように連動し、前記通路７５にあるコイン３が前記第二出口７２のみから外に向けて出力される（図８参照）。図６及び図８の破線方向はコイン３の入力及び出力方向を示す。
【００２０】
前記上部バッフルボード８１は上部シャフト８３に連結され、前記上部シャフト８３に沿って回転することで前記第一出口７１を開く。前記下部バッフルボード８２は下部シャフト８４に連結され、前記上部シャフト８３に沿って回転することで前記第二出口７２を開け閉めする。前記下部バッフルボード８２の上側には前記上部バッフルボード８１の下側にある突起部８１１に嵌合し、前記下部バッフルボード８２と前記上部バッフルボード８１とを連動させるための凹部８２１を有している。前記通路７５は前記第一出口７１及び前記第二出口７２の箇所にスルーホール７５１がそれぞれ形成され、前記上部バッフルボード８１及び前記下部バッフルボード８２は対応するスルーホール７５１を経て進入して対応する第一出口７１または第二出口７２を塞ぐ。
【００２１】
前記駆動装置５５は金属棒５７を含む電磁石５６であり、前記下部バッフルボード８２の下端はコネクティングシャフト８２２により前記金属棒５７に枢着されている。前記電磁石５６が通電すると磁力が発生し、前記金属棒５７が上下に移動するように駆動され、前記コネクティングシャフト８２２により前記下部バッフルボード８２が回転するように連動される。前記金属棒５７が上に移動すると前記下部バッフルボード８２が内に向けて回転して前記第二出口７２を塞ぎ、且つ前記上部バッフルボード８１が外に向けて回転するように連動されて前記第一出口７１を開く（図７参照）。前記金属棒５７が下に移動すると前記下部バッフルボード８２が外に向けて回転して前記第二出口７２を開き、且つ前記上部バッフルボード８１が内に向けて回転するように連動されて前記第一出口７１を塞ぐ（図９参照）。
【００２２】
上述の構造を適用し、単一の駆動装置５５により前記上部バッフルボード８１及び前記下部バッフルボード８２を同時に制御し、コインを前記第一出口７１または前記第二出口７２から出力されるように切り替える。
【００２３】
前記コイン分離装置７０は前記下部バッフルボード８２の一側に位置しているセンサー７４をさらに備え、前記センサー７４は前記下部バッフルボード８２の回転位置を検知し、前記下部バッフルボード８２が内または外に向けて回転状態になっていることを知るために用いられている。
【００２４】
制御機構４は前記駆動モーター５０及び前記駆動装置５５に連結され、操作者が前記制御機構４により前記駆動モーター５０の各動作を制御し、前記コイン分離装置７０を制御してコインを第一出口７１または第二出口７２から出力させる。
【００２５】
本願は本願の各部材を収容するための筐体１をさらに備え、前記筐体１の下方には前記駆動モーター５０、前記制御機構４、及び前記ギアセット６０が装設されている。前記コイントレイ１０は前記ギアセット６０の上方に位置している。前記駆動トラック３０は前記筐体１の上方に位置していると共に斜め方向に配置され、前記コイントレイ１０は斜め方向に配置されている前記駆動トラック３０の下端に位置している。
【００２６】
本願は複数のコイン３を収容するためのコイン収容ボックス５をさらに備えている。前記コイン収容ボックス５の下方は前記コイントレイ１０の上方と重畳し、コイン収容ボックス５内にあるコイン３が前記コイントレイ１０内に順に落とされる。カセット８５は前記筐体１の左上方に位置し、前記コイン収容ボックス５を前記筐体１に狭着するために用いられている。
【００２７】
本願のガイドレール９０は各種異なる形態を有し、コイン３を異なる方位に案内するように押動する。図１０には前記ガイドレール９０の一形態を図示し、前記ガイドレール９０は上に向けて延伸している円弧状レール９３を備え、前記円弧状レール９３の入口９３１は前記駆動トラック３０の前記出口３０１に連結され、コイン３が前記円弧状レール９３に沿って上に向けて移動する。
【００２８】
前記ガイドレール９０は前記円弧状レール９３の出口９２２に連結されている回転レール９４をさらに備えている。図１０と図１１に示すように、前記回転レール９４は一端が前記円弧状レール９３の出口９３２に連結され、他端が螺旋面９４２の一端に連結されている入力面９４１を含み、前記螺旋面９４２の他端は出力面９４３に連結されている。前記入力面９４１及び前記出力面９４３は互いに平行せず、前記入力面９４１に進入したコイン３が前記螺旋面９４２に沿って螺旋回転して前記出力面９４３の角度に改変され、コイン３の回転角度が改変される。
【００２９】
前記ガイドレール９０は前記回転レール９４の前記出力面９４３に連結されている方向転換レール９６をさらに備えている。前記方向転換レール９６の上方の側辺には側面開口部９６１を有し、コイン３が前記側面開口部９６１を経て外に向けて出力される。
【００３０】
図１２及び図１３は前記ガイドレール９０の他の形態を図示する。前記ガイドレール９０は側方の下方に向けて方向転換する方向転換レール９７を備え、前記駆動トラック３０の前記出口３０１は前記駆動トラック３０の側辺に位置していると共に前記方向転換レール９７の入口９７１に連結され、コイン３を前記方向転換レール９７に沿って側辺の下方に移動させる。
【００３１】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００３２】
１  筐体
３  コイン
４  制御機構
５  コイン収容ボックス
１０  コイントレイ
２０  旋盤
２１  心棒
２２  貫通孔
３０  駆動トラック
３１  伝送経路
４０  コイン押出装置
４１  心棒
４２  押出し爪
５０  駆動モーター
５１  シャフト
５５  駆動装置
５６  電磁石
５７  金属棒
６０  ギアセット
７０  コイン分離装置
７１  第一出口
７２  第二出口
７３  入口
７４  センサー
７５  通路
８１  上部バッフルボード
８２  下部バッフルボード
８３  上部シャフト
８４  下部シャフト
８５  カセット
９０  ガイドレール
９１  入力端
９２  出力端
９３  円弧状レール
９４  回転レール
９５  ガイド経路
９６  方向転換レール
９７  方向転換レール
３０１  出口
７５１  スルーホール
８１１  突起部
８２１  凹部
８２２  コネクティングシャフト
９２２  出口
９３１  入口
９３２  出口
９４１  入力面
９４２  螺旋面
９４３  出力面
９６１  側面開口部
９７１  入口
【図１】
0003234442.tif 000003
【図２】
0003234442.tif 000004
【図３】
0003234442.tif 000005
【図４】
0003234442.tif 000006
【図５】
0003234442.tif 000007
【図６】
0003234442.tif 000008
【図７】
0003234442.tif 000009
【図８】
0003234442.tif 000010
【図９】
0003234442.tif 000011
【図１０】
0003234442.tif 000012
【図１１】
0003234442.tif 000013
【図１２】
0003234442.tif 000014
【図１３】
0003234442.tif 000015
【手続補正書】
【提出日】令和3年8月17日(2021.8.17)
【手続補正１】
【補正対象書類名】実用新案登録請求の範囲
【補正対象項目名】全文
【補正方法】変更
【補正の内容】
【実用新案登録請求の範囲】
【請求項１】
コインの収集に用いられるコイントレイと、
前記コイントレイの下方に位置し、複数の貫通孔を含み、前記コイントレイ内に複数のコインを有する場合、前記コインが前記貫通孔に落とされる旋盤と、
横方向に配置されたコインを通過させる中空の伝送経路を含む駆動トラックであって、前記駆動トラックの一端は前記旋盤の底部に連結され、他端には出口が形成され、前記旋盤は駆動モーターにより駆動されて回転し、前記旋盤中の貫通孔が前記駆動トラックの伝送経路と順に重合し、前記旋盤中の異なる貫通孔内にあるコインが前記伝送経路に順に落とされる駆動トラックと、
前記駆動トラックの一側に位置していると共に前記駆動モーターにより駆動され、前記コインが前記駆動トラックの伝送経路に沿って前記駆動トラックの前記出口に向けて所定の位置に移動するように前記駆動トラック内の前記コインを押すために用いられているコイン押出装置と、
コインを通過させるための中空のガイド経路を含むガイドレールであって、前記ガイドレールの入力端は前記駆動トラックの前記出口に連結され、前記駆動トラックの前記出口から出力されるコインを前記ガイドレールの入力端に進入させ、前記ガイド経路に沿って前記ガイドレールの他の出力端の外に向けて移動させるガイドレールと、
入口と、第一出口と、第二出口とを有している通路を含み、前記入口は前記ガイドレールの出力端に連結され、前記ガイドレールから出力されるコインを受け取るコイン分離装置であって、前記コイン分離装置は前記第一出口側に位置していると共に前記第一出口を開け閉めするための可動の上部バッフルボード、及び前記第二出口側に位置していると共に前記第二出口を開け閉めするための可動の下部バッフルボードをさらに具備し、前記下部バッフルボードは駆動装置により駆動され、且つ前記上部バッフルボード及び前記下部バッフルボードの連動する結合を形成し、前記下部バッフルボードが前記第二出口を塞いだ場合、同時に前記上部バッフルボードが前記第一出口を開くように連動し、前記通路にあるコインが前記第一出口のみから外に向けて出力され、前記下部バッフルボードが前記第二出口を開いた場合、同時に前記上部バッフルボードが前記第一出口を塞ぐように連動し、前記通路にあるコインが前記第二出口のみから外に向けて出力されるコイン分離装置と、を備えていることを特徴とするコインの出力方向を切り替え可能なコインプッシャー。
【請求項２】
ギアセットをさらに備え、前記旋盤の中心には心棒を有し、前記旋盤の前記心棒の回転により前記旋盤が回転するように連動され、前記駆動モーターのシャフトの回転により前記旋盤の前記心棒及び前記コイン押出装置が駆動され、前記ギアセットは前記駆動モーターと前記旋盤の前記心棒との間に連結され、且つ前記ギアセットは前記駆動モーターと前記コイン押出装置との間にも連結され、前記駆動モーターのシャフトの回転により前記ギアセットを介して前記旋盤の前記心棒及び前記コイン押出装置が駆動され、前記旋盤が回転することを特徴とする請求項１に記載のコインの出力方向を切り替え可能なコインプッシャー。
【請求項３】
前記コイン押出装置の中心には心棒を有し、前記コイン押出装置の前記心棒の回転により前記コイン押出装置が回転するように連動され、前記駆動モーターのシャフトの回転により前記コイン押出装置の前記心棒が駆動され、前記コイン押出装置が回転し、前記コイン押出装置の外側の周囲には複数の押出し爪が延出し、前記コイン押出装置が回転すると各前記押出し爪が前記伝送経路の一側で回転し、前記伝送経路に位置しているコインが押動されることを特徴とする請求項１に記載のコインの出力方向を切り替え可能なコインプッシャー。
【請求項４】
前記上部バッフルボードは上部シャフトに連結され、前記上部シャフトに沿って回転することで前記第一出口を開け閉めし、前記下部バッフルボードは下部シャフトに連結され、前記上部シャフトに沿って回転することで前記第二出口を開け閉めし、前記下部バッフルボードの上側には前記上部バッフルボードの下側にある突起部に嵌合し、前記下部バッフルボードと前記上部バッフルボードとを連動させるための凹部を有していることを特徴とする請求項１に記載のコインの出力方向を切り替え可能なコインプッシャー。
【請求項５】
前記通路は前記第一出口及び前記第二出口の箇所にスルーホールがそれぞれ形成され、前記上部バッフルボード及び前記下部バッフルボードが対応するスルーホールを経て進入して対応する第一出口または第二出口を塞ぐことを特徴とする請求項４に記載のコインの出力方向を切り替え可能なコインプッシャー。
【請求項６】
前記駆動装置は金属棒を含む電磁石であり、前記下部バッフルボードの下端はコネクティングシャフトにより前記金属棒に枢着され、前記電磁石が通電すると磁力が発生し、前記金属棒が上下に移動するように駆動され、前記コネクティングシャフトにより前記下部バッフルボードが回転するように連動され、前記金属棒が上に移動すると前記下部バッフルボードが内に向けて回転して前記第二出口を塞ぎ、且つ前記上部バッフルボードが外に向けて回転するように連動されて前記第一出口を開き、前記金属棒が下に移動すると前記下部バッフルボードが外に向けて回転して前記第二出口を開き、且つ前記上部バッフルボードが内に向けて回転するように連動されて前記第一出口を塞ぐことを特徴とする請求項４に記載のコインの出力方向を切り替え可能なコインプッシャー。
【請求項７】
前記コイン分離装置は前記下部バッフルボードの一側に位置しているセンサーをさらに備え、前記センサーは前記下部バッフルボードの回転位置を検知し、前記下部バッフルボードが内または外に向けて回転状態になっていることを知るために用いられていることを特徴とする請求項４に記載のコインの出力方向を切り替え可能なコインプッシャー。
【請求項８】
各部材を収容するための筐体をさらに備え、前記筐体の下方には前記駆動モーター、制御機構、及びギアセットが装設され、前記コイントレイは前記ギアセットの上方に位置し、前記駆動トラックは前記筐体の上方に位置して斜め方向に配置され、前記コイントレイは斜め方向に配置されている前記駆動トラックの下端に位置していることを特徴とする請求項１に記載のコインの出力方向を切り替え可能なコインプッシャー。
【請求項９】
複数のコインを収容するためのコイン収容ボックス、及び前記筐体の左上方に位置しているカセットをさらに備え、前記コイン収容ボックスの下方及び前記コイントレイの上方は重畳し、コイン収容ボックス内にあるコインが前記コイントレイ内に順に落とされ、前記カセットは前記コイン収容ボックスを前記筐体に狭着するために用いられていることを特徴とする請求項４に記載のコインの出力方向を切り替え可能なコインプッシャー。
【請求項１０】
前記ガイドレールは上に向けて延伸している円弧状レールを備え、前記円弧状レールの入口は前記駆動トラックの前記出口に連結され、コインを前記円弧状レールに沿って上に向けて移動させることを特徴とする請求項１に記載のコインの出力方向を切り替え可能なコインプッシャー。
【請求項１１】
前記ガイドレールは前記円弧状レールの出口に連結されている回転レールをさらに備え、前記回転レールは一端が前記円弧状レールの出口に連結され、他端が螺旋面の一端に連結されている入力面を含み、前記螺旋面の他端は出力面に連結され、前記入力面及び前記出力面は互いに平行せず、前記入力面に進入するコインが前記螺旋面に沿って螺旋回転して前記出力面の角度に改変され、コインの回転角度が改変されることを特徴とする請求項１０に記載のコインの出力方向を切り替え可能なコインプッシャー。
【請求項１２】
前記ガイドレールは前記回転レールの前記出力面に連結されている方向転換レールをさらに備え、前記方向転換レールの上方の側辺には側面開口部を有し、コインが前記側面開口部を経て外に向けて出力されることを特徴とする請求項１１に記載のコインの出力方向を切り替え可能なコインプッシャー。
【請求項１３】
前記ガイドレールは側方の下方に向けて方向転換する方向転換レールを備え、前記駆動トラックの前記出口は前記駆動トラックの側辺に位置していると共に前記方向転換レールの入口に連結され、コインを前記方向転換レールに沿って側辺の下方に移動させることを特徴とする請求項１に記載のコインの出力方向を切り替え可能なコインプッシャー。